(57)【要約】【課題】防鳥ネットを確実に端縁フレームに取着して、鳥が屋根の上面とソーラーパネルの下面との間の空間に侵入することを防止することができる防鳥装置を提供する。【解決手段】ソーラーパネルＳの端縁フレームＳ2 に沿って所定の間隔をもって複数設置される防鳥ネット保持具２を有する。保持具２は、ソーラーパネルＳの端縁フレームＳ2 に下方から当接するフレーム受け手段Ａと、フレーム受け手段ＡをソーラーパネルＳの端縁フレームＳ2 に下方から当接させつつ屋根Ｙの上面Ｙ1 と端縁フレームＳ2 との間に上下突っ張り力を発生する突っ張り力発生手段Ｔと、ソーラーパネルＳの端縁フレームＳ2 に沿って配設される防鳥ネット１を挟持する挟持手段Ｇとを、具備する。【選択図】図２
2019058078.tif 000002
【特許請求の範囲】
【請求項１】
屋根（Ｙ）の上面（Ｙ1 ）と、該屋根（Ｙ）の上面（Ｙ1 ）に設置されたソーラーパネル（Ｓ）の下面（Ｓ1 ）との間の空間（Ｚ）へ、鳥類が侵入するのを防止するために、上記ソーラーパネル（Ｓ）の端縁フレーム（Ｓ2 ）と、上記屋根（Ｙ）の上面（Ｙ1 ）との間隙部（Ｅ）を遮蔽する防鳥ネット（１）を備えた防鳥装置に於て、
上記ソーラーパネル（Ｓ）の端縁フレーム（Ｓ2 ）に沿って所定の間隔（Ｌ）をもって複数設置される防鳥ネット保持具（２）を有し、
該保持具（２）は、
上記ソーラーパネル（Ｓ）の端縁フレーム（Ｓ2 ）に下方から当接するフレーム受け手段（Ａ）と、
上記フレーム受け手段（Ａ）と屋根（Ｙ）の上面（Ｙ1 ）との間に上下突っ張り力（Ｆ）を発生する突っ張り力発生手段（Ｔ）と、
上記ソーラーパネル（Ｓ）の上記端縁フレーム（Ｓ2 ）に沿って配設される防鳥ネット（１）を挟持する挟持手段（Ｇ）とを、
具備することを特徴とする防鳥装置。
【請求項２】
上記保持具（２）が、
屋根（Ｙ）の上面（Ｙ1 ）に載置される載置板（３）を有し、さらに該載置板（３）から上方へ突設されると共にネジ孔（４）付の筒部（５）を有するベース部材（６）と、
該ベース部材（６）の上記ネジ孔（４）に螺合して上下螺進退自在なボルト杆（７）と、
該ボルト杆（７）の上端（８）に固着され又は回転自在に枢着されると共に、上記ソーラーパネル（Ｓ）の端縁フレーム（Ｓ2 ）に下方から当接するＬ字型受け片（９）と、
上記ベース部材（６）の上記筒部（５）から水平方向に突設された横ボルト（10）と、
上記防鳥ネット（１）を、上記筒部（５）と共働して挟持するように、上記横ボルト（10）に螺合するナット部材（11）とを、
具備する請求項１記載の防鳥装置。
【請求項３】
上記保持具（２）が、
屋根（Ｙ）の上面（Ｙ1 ）に載置される載置板（３）を有し、さらに該載置板（３）から上方へ突設されると共に筒部（５）を有するベース部材（６）と、
該ベース部材（６）の上記筒部（５）を上下スライド自在な杆部（15）と、
該杆部（15）の上端（16）に該杆部（15）と一体状に設けられると共に、上記ソーラーパネル（Ｓ）の端縁フレーム（Ｓ2 ）に下方から当接するＬ字型受け片（９）と、
上記ベース部材（６）の上記筒部（５）から水平方向に突設された横ボルト（10）と、
上記防鳥ネット（１）を、上記筒部（５）と共働して挟持するように、上記横ボルト（10）に螺合するナット部材（11）とを、
具備する請求項１記載の防鳥装置。
【請求項４】
上記保持具（２）が、
屋根（Ｙ）の上面（Ｙ1 ）に載置される載置板部（21）と、該載置板部（21）から起立される鉛直板部（22）と、該鉛直板部（22）の上端縁から延設されると共にネジ孔（23）付の水平板部（24）と、から成る略コの字型ベース部材（25）と、
該ベース部材（25）の上記ネジ孔（23）に螺合して上下螺進退自在なボルト杆（７）と、
該ボルト杆（７）の上端（８）に固着され又は回転自在に枢着されると共に、上記ソーラーパネル（Ｓ）の端縁フレーム（Ｓ2 ）に下方から当接するＬ字型受け片（９）と、
上記ベース部材（25）の上記鉛直板部（22）から水平外方向に突設された横ボルト（10）と、
上記防鳥ネット（１）を、上記鉛直板部（22）と共働して挟持するように、上記横ボルト（10）に螺合するナット部材（11）とを、
具備する請求項１記載の防鳥装置。
【請求項５】
上記Ｌ字型受け片（９）を上記ボルト杆（７）の上端（８）に対して回転自在かつ首振り自在として連結した請求項２又は４記載の防鳥装置。
【発明の詳細な説明】
【技術分野】
【０００１】
本発明は、防鳥装置に関する。
【背景技術】
【０００２】
一般に、屋根の上面にソーラーパネル（太陽光パネル、太陽電池パネル）を設置する場合、屋根の上面とソーラーパネルの下面との間に空間が存在する（例えば、特許文献１参照）。
【先行技術文献】
【特許文献】
【０００３】
【特許文献１】特開２０１５−１５８１０５号公報
【発明の概要】
【発明が解決しようとする課題】
【０００４】
しかし、上記空間に鳥が巣を作り、鳥がソーラーパネルの上面に糞をすることにより、発電効率が低下するという問題があった。そこで、ソーラーパネルの端縁フレームと、屋根の上面との間隙部（すなわち上記空間への入口部）を防鳥ネットにて遮蔽する。従来、図13及び図14に示すように、防鳥ネット30を、両面粘着テープ31、粘着剤等で、ソーラーパネル32の端縁フレーム33に固着していたが、強力に固着することができず、防鳥ネット30と端縁フレーム33の間に隙間が生じたり、防鳥ネット30が剥がれる等の問題があった。
そこで、本発明は、防鳥ネットを確実に端縁フレームに取着して、防鳥ネットと端縁フレームの間に隙間が生じるのを防止し、鳥が上記空間に侵入することを防止することができる防鳥装置を提供することを目的とする。
【課題を解決するための手段】
【０００５】
そこで、本発明に係る防鳥装置は、屋根の上面と、該屋根の上面に設置されたソーラーパネルの下面との間の空間へ、鳥類が侵入するのを防止するために、上記ソーラーパネルの端縁フレームと、上記屋根の上面との間隙部を遮蔽する防鳥ネットを備えた防鳥装置に於て、上記ソーラーパネルの端縁フレームに沿って所定の間隔をもって複数設置される防鳥ネット保持具を有し、該保持具は、上記ソーラーパネルの端縁フレームに下方から当接するフレーム受け手段と、上記フレーム受け手段と屋根の上面との間に上下突っ張り力を発生する突っ張り力発生手段と、上記ソーラーパネルの上記端縁フレームに沿って配設される防鳥ネットを挟持する挟持手段とを、具備するものである。
【０００６】
また、上記保持具が、屋根の上面に載置される載置板を有し、さらに該載置板から上方へ突設されると共にネジ孔付の筒部を有するベース部材と、該ベース部材の上記ネジ孔に螺合して上下螺進退自在なボルト杆と、該ボルト杆の上端に固着され又は回転自在に枢着されると共に、上記ソーラーパネルの端縁フレームに下方から当接するＬ字型受け片と、上記ベース部材の上記筒部から水平方向に突設された横ボルトと、上記防鳥ネットを、上記筒部と共働して挟持するように、上記横ボルトに螺合するナット部材とを、具備するものである。
【０００７】
また、上記保持具が、屋根の上面に載置される載置板を有し、さらに該載置板から上方へ突設されると共に筒部を有するベース部材と、該ベース部材の上記筒部を上下スライド自在な杆部と、該杆部の上端に該杆部と一体状に設けられると共に、上記ソーラーパネルの端縁フレームに下方から当接するＬ字型受け片と、上記ベース部材の上記筒部から水平方向に突設された横ボルトと、上記防鳥ネットを、上記筒部と共働して挟持するように、上記横ボルトに螺合するナット部材とを、具備するものである。
【０００８】
また、上記保持具が、屋根の上面に載置される載置板部と、該載置板部から起立される鉛直板部と、該鉛直板部の上端縁から延設されると共にネジ孔付の水平板部と、から成る略コの字型ベース部材と、該ベース部材の上記ネジ孔に螺合して上下螺進退自在なボルト杆と、該ボルト杆の上端に固着され又は回転自在に枢着されると共に、上記ソーラーパネルの端縁フレームに下方から当接するＬ字型受け片と、上記ベース部材の上記鉛直板部から水平外方向に突設された横ボルトと、上記防鳥ネットを、上記鉛直板部と共働して挟持するように、上記横ボルトに螺合するナット部材とを、具備するものである。
【０００９】
また、上記Ｌ字型受け片を上記ボルト杆の上端に対して回転自在かつ首振り自在として連結したものである。
【発明の効果】
【００１０】
本発明の防鳥装置によれば、防鳥ネットを確実に端縁フレームに取着して、鳥が上記空間に侵入することを防止することができる。
【図面の簡単な説明】
【００１１】
【図１】本発明の第１の実施の形態の使用状態を示す斜視図である。
【図２】使用状態を示す要部拡大図である。
【図３】第１の実施の形態の防鳥ネット保持具を示す斜視図である。
【図４】断面図である。
【図５】要部拡大断面図である。
【図６】要部拡大断面図である。
【図７】第２の実施の形態の防鳥ネット保持具を示す側面図である。
【図８】図７のＸ−Ｘ断面図である。
【図９】蝶ボルトを示す側面図である。
【図１０】第３の実施の形態の防鳥ネット保持具を示す斜視図である。
【図１１】側面図である。
【図１２】底面図である。
【図１３】従来例を示す斜視図である。
【図１４】要部拡大断面図である。
【発明を実施するための形態】
【００１２】
以下、図示の実施の形態に基づいて本発明を詳説する。
図１・図２は、本発明の第１の実施の形態の使用状態を示す。この防鳥装置は、屋根Ｙの上面Ｙ1 と、屋根Ｙの上面Ｙ1 に設置されたソーラーパネルＳの下面Ｓ1 との間の空間Ｚへ、鳥類が侵入するのを防止するために、ソーラーパネルＳの端縁フレームＳ2 と、屋根Ｙの上面Ｙ1 との間隙部Ｅを遮蔽する樹脂製又は金属製等の防鳥ネット１を備える。ソーラーパネルＳの端縁フレームＳ2 に沿って所定の間隔Ｌをもって複数設置される防鳥ネット保持具２を有する。
【００１３】
図２〜図４に示すように、保持具２は、ソーラーパネルＳの端縁フレームＳ2 に下方から当接するフレーム受け手段Ａと、フレーム受け手段Ａと屋根Ｙの上面Ｙ1との間に（図４に示す）上下突っ張り力Ｆを発生する突っ張り力発生手段Ｔと、ソーラーパネルＳの端縁フレームＳ2 に沿って配設される防鳥ネット１を挟持する挟持手段Ｇとを、具備する。
【００１４】
保持具２が、屋根Ｙの上面Ｙ1 に載置される載置板３を有し、さらに載置板３から上方へ突設されると共にネジ孔４付の筒部５を有するベース部材６を有する。載置板３に複数（図２・図３に於ては４つ）の取付孔13が形成される。
【００１５】
ベース部材６のネジ孔４に螺合して上下螺進退自在なボルト杆７を具備する。ボルト杆７の上端８に回転自在に枢着されると共に、ソーラーパネルＳの端縁フレームＳ2 に下方から当接するＬ字型受け片９を具備する。Ｌ字型受け片９がボルト杆７の上端８に対して鉛直軸心廻りに回転自在として連結される。17はロックナットを示す。
【００１６】
ベース部材６の筒部５から水平方向に突設された横ボルト10を具備する。防鳥ネット１を、筒部５と共働して挟持するように、横ボルト10に螺合するナット部材11を、具備する。図１〜図４ではワッシャ12を介して防鳥ネット１を挟持しているが、ワッシャ12は省略可能である。
【００１７】
上述のように、フレーム受け手段Ａは、Ｌ字型受け片９から成る。突っ張り力発生手段Ｔは、ボルト杆７、ネジ孔４を有するベース部材６、ロックナット17等から成る。挟持手段Ｇは、筒部５（の外面）、横ボルト10、ナット部材11等から成る。
【００１８】
次に、保持具２を屋根Ｙの上面Ｙ1 に固着する方法について説明する。図５に示すように、接着剤14にて載置板３の下面３ａと屋根Ｙの上面Ｙ1 とを固着する。接着剤14を取付孔13から上方へ溢れさせて接着剤14にて載置板３を挟持状にする（かえしを形成する）ことにより、確実に固着することができる。図６に示すように、瓦屋根等のように屋根Ｙの上面Ｙ1 が弯曲している場合にも、接着剤14によって載置板３の下面３ａと屋根Ｙの上面Ｙ1 との隙間を埋めることにより、確実に固着することができる。
【００１９】
図７・図８は、第２の実施の形態を示す。保持具２が、横断面円型の縦孔20が形成された筒部５を有するベース部材６と、ベース部材６の縦孔20内で鉛直軸心廻りに回転自在かつ筒部５を上下スライド自在な杆部15を、具備する。18は杆部15を筒部５に固定するための止めネジを示す。止めネジ18を、図９に示すような蝶ボルト19とするも良い。Ｌ字型受け片９が、杆部15の上端16に杆部15と一体に設けられる。第２の実施の形態に於て、突っ張り力発生手段Ｔは、縦孔20を有するベース部材６、杆部15、筒部５のネジ孔５Ａ、このネジ孔５Ａに螺合する止めネジ18から成る。その他の構成は、第１の実施の形態と同様である。
【００２０】
図10〜図12は、第３の実施の形態を示す。保持具２が、屋根Ｙ（図１・図２参照）の上面Ｙ1に載置される載置板部21と、載置板部21から起立される鉛直板部22と、鉛直板部22の上端縁から延設されると共にネジ孔23付の水平板部24と、から成る略コの字型ベース部材25を、具備する。載置板部21に複数の取付孔26が形成される。
【００２１】
ベース部材25のネジ孔23に螺合して上下螺進退自在なボルト杆７と、ボルト杆７の上端８に固着され又は回転自在に枢着されると共に、ソーラーパネルＳの端縁フレームＳ2に下方から当接するＬ字型受け片９と、を具備する。
【００２２】
ベース部材６の鉛直板部22から水平外方向に突設された横ボルト10と、防鳥ネット１を、鉛直板部22と共働して挟持するように、横ボルト10に螺合するナット部材11とを、具備する。第３の実施の形態に於て、突っ張り力発生手段Ｔは、ネジ孔23を有するベース部材25、ボルト杆７、ロックナット17等から成る。挟持手段Ｇは、鉛直板部22（の外面）、横ボルト10、ナット部材11等から成る。その他の構成は、第１の実施の形態と同様である。
【００２３】
本発明は、設計変更可能であって、例えば、Ｌ字型受け片９の下面に球面凹状雌部を設け、かつ、ボルト杆７の上端８に（上記球面凹状雌部に嵌合する）球状部を形成する等により、Ｌ字型受け片９がボルト杆７の上端８に対して回転自在かつ首振り自在とするも好ましい。また、ボルト杆７の上端８にＬ字型受け片９を固着するも良い。また、取付孔13の個数は増減自由である。また、筒部５とボルト杆７をロックナット17で固定する代わりに接着剤14で固定するも良く、筒部５と杆部15を止めネジ18又は蝶ボルト19にて固着する代わりに、接着剤14にて固着するも良い。
【００２４】
以上のように、本発明は、屋根Ｙの上面Ｙ1 と、該屋根Ｙの上面Ｙ1 に設置されたソーラーパネルＳの下面Ｓ1 との間の空間Ｚへ、鳥類が侵入するのを防止するために、上記ソーラーパネルＳの端縁フレームＳ2 と、上記屋根Ｙの上面Ｙ1 との間隙部Ｅを遮蔽する防鳥ネット１を備えた防鳥装置に於て、上記ソーラーパネルＳの端縁フレームＳ2 に沿って所定の間隔Ｌをもって複数設置される防鳥ネット保持具２を有し、該保持具２は、上記ソーラーパネルＳの端縁フレームＳ2 に下方から当接するフレーム受け手段Ａと、上記フレーム受け手段Ａを上記ソーラーパネルＳの端縁フレームＳ2 に下方から当接させつつ屋根Ｙの上面Ｙ1 と上記端縁フレームＳ2 との間に上下突っ張り力Ｆを発生する突っ張り力発生手段Ｔと、上記ソーラーパネルＳの上記端縁フレームＳ2 に沿って配設される防鳥ネット１を挟持する挟持手段Ｇとを、具備するので、凹凸のある屋根Ｙの上面Ｙ1 と端縁フレームＳ2 との間に形成された（上下寸法が長手方向に変化する）間隙部Ｅに柔軟に対応して、強固に保持具２を突っ張り状態に設置できる。これによって、防鳥ネット１が、風雨等で弛んだり、位置ずれすることを、確実に防止できる。しかも、フレーム受け手段ＡにてソーラーパネルＳの端縁フレームＳ2 を下方から受け、突っ張り力発生手段Ｔにて、複数の保持具２を次々と容易かつ迅速に設置できるので、防鳥ネット１を能率良く（高所作業で）張設できる。このようにして、防鳥ネット１を確実に端縁フレームＳ2 に取着して、鳥が上記空間Ｚに侵入することを防止することができる。
【００２５】
また、上記保持具２が、屋根Ｙの上面Ｙ1 に載置される載置板３を有し、さらに該載置板３から上方へ突設されると共にネジ孔４付の筒部５を有するベース部材６と、該ベース部材６の上記ネジ孔４に螺合して上下螺進退自在なボルト杆７と、該ボルト杆７の上端８に固着され又は回転自在に枢着されると共に、上記ソーラーパネルＳの端縁フレームＳ2 に下方から当接するＬ字型受け片９と、上記ベース部材６の上記筒部５から水平方向に突設された横ボルト10と、上記防鳥ネット１を、上記筒部５と共働して挟持するように、上記横ボルト10に螺合するナット部材11とを、具備するので、簡素な構成でありながら、防鳥ネット１を確実に端縁フレームＳ2 に取着して、鳥が上記空間Ｚに侵入することを防止することができる。
【００２６】
また、上記保持具２が、屋根Ｙの上面Ｙ1 に載置される載置板３を有し、さらに該載置板３から上方へ突設されると共に筒部５を有するベース部材６と、該ベース部材６の上記筒部５を上下スライド自在な杆部15と、該杆部15の上端16に該杆部15と一体状に設けられると共に、上記ソーラーパネルＳの端縁フレームＳ2 に下方から当接するＬ字型受け片９と、上記ベース部材６の上記筒部５から水平方向に突設された横ボルト10と、上記防鳥ネット１を、上記筒部５と共働して挟持するように、上記横ボルト10に螺合するナット部材11とを、具備するので、簡素な構成でありながら、防鳥ネット１を確実に端縁フレームＳ2 に取着して、鳥が上記空間Ｚに侵入することを防止することができる。
【００２７】
また、上記保持具２が、屋根Ｙの上面Ｙ1 に載置される載置板部21と、該載置板部21から起立される鉛直板部22と、該鉛直板部22の上端縁から延設されると共にネジ孔23付の水平板部24と、から成る略コの字型ベース部材25と、該ベース部材25の上記ネジ孔23に螺合して上下螺進退自在なボルト杆７と、該ボルト杆７の上端８に固着され又は回転自在に枢着されると共に、上記ソーラーパネルＳの端縁フレームＳ2 に下方から当接するＬ字型受け片９と、上記ベース部材25の上記鉛直板部22から水平外方向に突設された横ボルト10と、上記防鳥ネット１を、上記鉛直板部22と共働して挟持するように、上記横ボルト10に螺合するナット部材11とを、具備するので、簡素な構成でありながら、防鳥ネット１を確実に端縁フレームＳ2 に取着して、鳥が上記空間Ｚに侵入することを防止することができる。また、低コストにて製造することができる。
【００２８】
また、上記Ｌ字型受け片９を上記ボルト杆７の上端８に対して回転自在かつ首振り自在として連結したので、Ｌ字型受け片９をソーラーパネルＳの端縁フレームＳ2 に適切な向きにて容易に当接させることができる。
【符号の説明】
【００２９】
１  防鳥ネット
２  （防鳥ネット）保持具
３  載置板
４  ネジ孔
５  筒部
６  ベース部材
７  ボルト杆
８  上端
９  Ｌ字型受け片
10  横ボルト
11  ナット部材
15  杆部
16  上端
21  載置板部
22  鉛直板部
23  ネジ孔
24  水平板部
25  （横断面略コの字型）ベース部材
Ａ  フレーム受け手段
Ｅ  間隙部
Ｆ  突っ張り力
Ｇ  挟持手段
Ｌ  間隔
Ｓ  ソーラーパネル
Ｓ1   下面
Ｓ2   端縁フレーム
Ｔ  突っ張り力発生手段
Ｙ  屋根
Ｙ1   上面
Ｚ  空間
【図１】
2019058078.tif 000003
【図２】
2019058078.tif 000004
【図３】
2019058078.tif 000005
【図４】
2019058078.tif 000006
【図５】
2019058078.tif 000007
【図６】
2019058078.tif 000008
【図７】
2019058078.tif 000009
【図８】
2019058078.tif 000010
【図９】
2019058078.tif 000011
【図１０】
2019058078.tif 000012
【図１１】
2019058078.tif 000013
【図１２】
2019058078.tif 000014
【図１３】
2019058078.tif 000015
【図１４】
2019058078.tif 000016